(57)【特許請求の範囲】
【請求項１】
一の表面に電子部品を複数搭載すると共に前記複数の電子部品の搭載領域を囲繞する基準電位層が配設された回路基板と、前記基準電位層上に当接配置されており、前記電子部品を覆うように前記回路基板上に重ねて配置される導電性のシールドケースと、アンテナとを筐体内に備えており、
前記電子部品のうち電磁波を発生する部品が前記回路基板の側部に配されており、
前記シールドケースのうち前記回路基板の側部に配置される部位に、前記重ね合わせ方向に沿って前記一の表面よりも下方側まで延出させた延出部を設けており、
前記延出部は、前記重ね合わせ方向に延びるとともに、
前記延出部の表面には、前記重ね合わせ方向に沿う前記筐体の側面から外方に露出する側面キー操作部が設けられており、
該側面キー操作部が、前記延出部の表面に向けて押下操作可能な側面操作キーを備えることを特徴とする携帯無線機。
【請求項２】
前記シールドケースの延出部は、前記回路基板の側部に当接している請求項１に記載の携帯無線機。
【請求項３】
前記シールドケースは、前記回路基板の一の表面に対向する略板状の天板部を備えており、
前記天板部の表面に、前記重ね合わせ方向に面する前記筐体の表面から外方に露出する表面キー操作部が設けられており、
該表面キー操作部が、前記天板部の表面に向けて押下操作可能な複数の表面操作キーを備えるとともに、
前記延出部は、前記天板部に比較して厚みが厚い
ことを特徴とする請求項２に記載の携帯無線機。
【請求項４】
前記延出部は段差部を備え、該段差部に前記回路基板の前記一の表面と前記側部とで構成される角部が当接される
ことを特徴とする請求項２または請求項３に記載の携帯無線機。
【発明の詳細な説明】
【技術分野】
【０００１】
この発明は、携帯電話機や無線通信機能を備えるＰＤＡ（Personal Digital Assistants）等の携帯無線機に関する。
【背景技術】
【０００２】
従来、携帯電話機や無線通信機能を備えるＰＤＡ（Personal Digital Assistants）等の携帯無線機は、例えば、図６，７に示すように、一の表面８１ａにＩＣパッケージやコンデンサ、抵抗器等の各種電子部品８３を複数搭載した回路基板８１と、上記電子部品８３を覆うように回路基板８１の一の表面８１ａに配されるシールドケース８５とをフロントケース８７とリアケース８９とからなる筐体９１内部に収容して構成されている（特許文献１参照。）。
また、回路基板８１の一の表面８１ａには、所定個数の電子部品８３毎に区画するように配設された基準電位層（グランドパターン層）９３が形成されている。そして、シールドケース８５は、導電性を有しており、上述のように区画された電子部品８３を囲繞する区画壁部（不図示）を備えている。すなわち、シールドケース８５を回路基板８１の一の表面８１ａに固定した状態においては、シールドケース８５の区画壁部と回路基板８１の基準電位層９３とが電気的に接続されることになる。
【０００３】
このシールドケース８５は、回路基板８１の一の表面８１ａの略全体を覆うように形成されており、ネジ止め等によって回路基板８１に固定されている。なお、回路基板８１とシールドケース８５との固定は、ネジ止め等の他に半田付けにより行うこともできるが、上記のように、１つのシールドケース８５により複数の電子部品８３を区画するように構成したものでは、半田付けに要する作業時間や半田使用量の増大に伴って、コストアップを招くと共にメンテナンス性が大幅に損なわれるため、好ましくない。
この種の携帯無線機としては、特許文献１のように、筐体９１内部に設けられたコネクタ９５を自動車に設置されたアンテナのコネクタに接続することで自動車電話として使用するものもあるが、筐体９１内部にロッドアンテナやチップアンテナ等を設けて構成されるものもある。
【特許文献１】特開平４−２１５５００号公報
【発明の開示】
【発明が解決しようとする課題】
【０００４】
ところで、回路基板８１の一の表面８１ａには、電子部品８３として、携帯無線機の制御を行うＣＰＵや送信部、受信部等も実装されるが、この種の電子部品８３は作動中に電磁波を輻射するため、この電磁波が回路基板８１及びシールドケース８５により区画された空間の外側に漏れ出すと、筐体９１内部においてアンテナ側に回り込み、受信信号と干渉してアンテナの受信性能を低下させるという課題がある。
特に、特許文献１のように、１つのシールドケース８５により複数の電子部品８３を区画するように構成したものでは、ネジ止め等によって回路基板８１とシールドケース８５との固定が行われているが、この場合には、回路基板８１とシールドケース８５との間に隙間が生じるため、この隙間から上述した電磁波が漏れ出し易いという課題がある。
【０００５】
そして、近年の携帯無線機ではアンテナを筐体９１内部に収容する傾向にあるため、益々電子部品８３から輻射される電磁波の漏れに伴うアンテナ特性の劣化が生じやすいという課題がある。
この発明は、上述した事情に鑑みてなされたものであって、電磁波の漏れを防いでアンテナ特性の劣化を防止することができる携帯無線機を提供することを目的としている。
【課題を解決するための手段】
【０００６】
上記課題を解決するために、この発明は以下の手段を提案している。
本発明に係る携帯無線機は、一の表面に電子部品を複数搭載すると共に前記複数の電子部品の搭載領域を囲繞する基準電位層が配設された回路基板と、前記基準電位層上に当接配置されており、前記電子部品を覆うように前記回路基板上に重ねて配置される導電性のシールドケースと、アンテナとを筐体内に備えており、前記電子部品のうち電磁波を発生する部品が前記回路基板の側部に配されており、前記シールドケースのうち前記回路基板の側部に配置される部位に、前記重ね合わせ方向に沿って前記一の表面よりも下方側まで延出させた延出部を設けており、前記延出部は、前記重ね合わせ方向に延びるとともに、前記延出部の表面には、前記重ね合わせ方向に沿う前記筐体の側面から外方に露出する側面キー操作部が設けられており、該側面キー操作部が、前記延出部の表面に向けて押下操作可能な側面操作キーを備えることを特徴とする。
【０００７】
また、前記シールドケースの延出部は、前記回路基板の側部に当接していることを特徴とする。
また、前記シールドケースは、前記回路基板の一の表面に対向する略板状の天板部を備えており、前記天板部の表面に、前記重ね合わせ方向に面する前記筐体の表面から外方に露出する表面キー操作部が設けられており、該表面キー操作部が、前記天板部の表面に向けて押下操作可能な複数の表面操作キーを備えるとともに、前記延出部は、前記天板部に比較して厚みが厚いことを特徴とする。
【０００８】
また、前記延出部は段差部を備え、該段差部に前記回路基板の前記一の表面と前記側部とで構成される角部が当接されることを特徴とする。
【発明の効果】
【０００９】
この発明によれば、シールドケースの延出部によって少なくとも電磁波を発生する部品が実装された回路基板の側部を覆うことができる、すなわち、回路基板の表面とシールドケースとの間に生じる隙間を上記延出部により覆い隠すことができる。したがって、電磁波を輻射する電子部品が回路基板の表面の周縁近傍に配されていたとしても、シールドケースの延出部を電子部品の近傍に位置する回路基板の側部に配しておくことで、上記電子部品から輻射される電磁波が、回路基板の表面の周縁から外方に漏れだすことを防止することができる。以上のことから、筐体内部に無線通信用のアンテナが配されていても、上記電磁波がアンテナ特性に悪影響を与えることを効果的に防止することができる。
【発明を実施するための最良の形態】
【００１０】
図１から図５は本発明に係る一実施形態を示しており、ここで説明する実施の形態は、この発明を携帯電話機に適用した場合のものである。
図１に示すように、この実施の形態に係る携帯電話機（携帯無線機）１は、第１の筐体２と、この第１の筐体２の厚さ方向に重ね合わせ可能な第２の筐体３と、これら２つの筐体２，３を相互に折り畳み自在に連結するヒンジ部５とを備えている。なお、ヒンジ部５は、２つの筐体２，３の各端部２ａ，３ａ（以下、基端部２ａ，３ａと呼ぶ。）同士を連結するように配されている。
【００１１】
第２の筐体３の内部には、表面に各種情報を表示する表示面７ａを有するＬＣＤ（Liquid Crystal Display）、有機ＥＬ（Electro Luminescence）ディスプレイ、無機ＥＬディスプレイ等の表示部７及び通話用のスピーカ部９が設けられている。表示部７の表示面７ａは、２つの筐体２，３を相互に重ね合わせた状態において第１の筐体２に対向する第２の筐体３の対向面３ｃ側に露出している。スピーカ部９は、基端部３ａとは反対側に位置する第２の筐体３の先端部３ｂに配されており、第２の筐体３の対向面３ｃから第２の筐体３の内部空間に貫通する開口部３ｄを介して外方に露出している。
【００１２】
第１の筐体２の内部には、通話キー、終話キー等の各種の押下操作可能な複数の操作キー１０，１２を備えた２つのキー操作部１１，１３及び通話用のマイクロフォン部１５が設けられている。第１のキー操作部（表面キー操作部）１１の各操作キー（表面操作キー）１０は、２つの筐体２，３を相互に重ね合わせた状態において第２の筐体３に対向する第１の筐体２の対向面（表面）２ｃから外方に露出している。また、第２のキー操作部（側面キー操作部）１３の各操作キー（側面操作キー）１２は、対向面２ｃに隣接する第１の筐体２の側面２ｅから外方に露出している。なお、第１の筐体２の側面２ｅは、第１の筐体２の厚さ方向に沿って形成されている。
マイクロフォン部１５は、基端部２ａとは反対側に位置する第１の筐体２の先端部２ｂに配されており、第１の筐体２の対向面２ｃから第１の筐体２の内部空間に貫通する開口部２ｄを介して外方に露出している。
【００１３】
この第１の筐体２は、第１の筐体２の対向面２ｃ側を構成するフロントケース１７、及び、第１の筐体２の外面２ｆ側を構成するリアケース１９を備えている。これらフロントケース１７及びリアケース１９は、互いに第１の筐体２の厚さ方向に結合可能となっている。
この第１の筐体２の内部には、図２に示すように、外面２ｆの反対側に位置するリアケース１９の内面１９ａ側から、回路基板２１、シールドケース（補強部材）２３、フレキシブル基板２５、及び、前述した第１のキー操作部１１を構成する複数の操作キー１０が重ねて配されている。また、第１の筐体２内部の先端部２ｂ側には、無線通信用のアンテナ２７が収容されている。すなわち、このアンテナ２７は、回路基板２１、シールドケース（補強部材）２３及びフレキシブル基板２５の近傍に配されている。
【００１４】
シールドケース２３に対向する回路基板２１の一の表面２１ａには、複数の電子部品が搭載されている。上記電子部品としては、高周波ブロック３１、電源ＩＣ３３、メモリ３５やＣＰＵ３７等がある。
ここで、高周波ブロック３１は、回路基板２１を介してアンテナ２７と電気的に接続されており、図３に示すように、アンテナ２７及び図示しない通信ネットワークを介して、他の電話機との間で通話したり、図示しない他の端末装置やサーバとの間で電子メール、インターネットのホームページ等の各種情報を送受信するものである。また、電源ＩＣ３３は、携帯電話機１に備えるバッテリー３９の充電及び放電等を制御するものである。さらに、メモリ３５は、文字、記号、画像等の各種情報や携帯電話機１の各種機能を記憶するものである。
【００１５】
そして、ＣＰＵ３７は、スピーカ部９やマイクロフォン部１５、高周波ブロック３１、電源ＩＣ３３、メモリ３５等の動作を制御するものである。すなわち、ＣＰＵ３７は、例えば、通話する際にマイクロフォン部１５から入力された音声情報を高周波ブロック３１に出力したり、高周波ブロック３１から入力された音声情報をスピーカ部９に出力する役割を果たす。また、ＣＰＵ３７は、例えば、高周波ブロック３１において受信した各種情報をメモリ３５に記憶させると共に、キー操作部１１，１３の操作に基づいて各種情報を表示部７に表示させる役割を果たす。なお、このＣＰＵ３７は、他の電子部品と比較してその作動中に強い電磁波を輻射する。
【００１６】
さらに、図４に示すように、回路基板２１の一の表面２１ａには、上述した複数の電子部品を囲繞するグランドパターンとしての基準電位層４１が配設されている。
この基準電位層４１は、複数の電子部品の搭載領域を所定個数の電子部品毎に区画するように形成されている。すなわち、高周波ブロック３１を搭載した第１の搭載領域Ｓ１、電源ＩＣ３３を搭載した第２の搭載領域Ｓ２、メモリ３５及びＣＰＵ３７を搭載した第３の搭載領域Ｓ３、及び、コンデンサや抵抗器等の他の電子部品３２を搭載した複数の第４の搭載領域Ｓ４が、基準電位層４１によってそれぞれ個別に区画されている。このように分割された複数の搭載領域Ｓ１〜Ｓ４は、各々回路基板２１の一の表面２１ａの周縁に位置している。
【００１７】
シールドケース２３は、導電性を有すると共に、図４，５に示すように、回路基板２１の一の表面２１ａに対向し、かつ回路基板２１の表面２１ａのうち大部分を覆う略板状のシールド板（天板部）４３と、該シールド板（天板部）４３の裏面４３ｂに立設された側壁部（区画壁部）４５及びリブ（区画壁部）４７とから構成され、上述した複数の電子部品を覆うように、ネジ止めによって回路基板２１の一の表面２１ａに固定されている。
すなわち、側壁部４５は、シールド板４３の裏面４３ｂの周縁全体から突出しており、回路基板２１の一の表面２１ａの周縁に形成された基準電位層４１に当接するように構成されている。また、リブ４７は、回路基板２１の各搭載領域Ｓ１〜Ｓ４の間に形成された基準電位層４１に当接するように構成されている。
したがって、上記シールドケース２３を回路基板２１の一の表面２１ａに固定した状態においては、シールドケース２３が回路基板２１の一の表面２１ａの略全体を覆うことから、第１の筐体２の剛性を向上させることができる。
また、シールドケース２３は、基準電位層４１と当接させると共に、複数の電子部品を各搭載領域Ｓ１〜Ｓ４に対応する空間に分割して配することができるため、各搭載領域Ｓ１〜Ｓ４に対応する空間をそれぞれシールドすることができる。
【００１８】
また、このシールドケース２３は、側壁部４５の一部に一体的に形成された略矩形板状の延出部４９を備えている。この延出部４９は、回路基板２１及びシールドケース２３を相互に重ねて配した状態において、シールド板４３から回路基板２１の厚さ方向に延びて回路基板２１の側部に隣接して位置し、その先端は、一の表面２１ａとは反対側に位置する回路基板２１の裏面２１ｂからさらに厚さ方向に延在している。したがって、延出部４９を形成した位置においては、回路基板２１の一の表面２１ａと側壁部４５との境界が覆い隠されることになる。
なお、この延出部４９は、電磁波を輻射するＣＰＵ３７を搭載した回路基板２１の第３の搭載領域Ｓ３に隣接して形成されている、すなわち、搭載領域Ｓ３を囲む基準電位層４１のうち回路基板２１の周縁側に位置する部分を覆うように形成されている。
また、延出部４９の表面４９ａは、シールド板４３の表面４３ａに対して略直交しており、シールドケース２３を第１の筐体２の内部に配した状態において、第１の筐体２の側面２ｅ側に開口する開口部２ｇに対向するようになっている。
【００１９】
なお、上述のように構成されたシールドケース２３は、金属により形成することもできるが、例えば、シールド板４３を金属板により形成すると共に側壁部４５、リブ４７及び延出部４９を樹脂により形成して、両者を接着剤等を介して接合した後に、側壁部４５、リブ４７及び延出部４９に導電膜を被覆して導電性を持たせたものを用いてもよい。また、シールドケース２３は、例えば、シールド板４３、側壁部４５、リブ４７及び延出部４９の全てを樹脂により一体的に形成し、その表面に導電膜を被覆して導電性を持たせたものを用いても構わない。このようにシールドケース２３の一部若しくは全体を樹脂により形成した場合には、携帯電話機１の軽量化を効果的に図ることができる。
【００２０】
フレキシブル基板２５は、薄膜状に形成されると共に可撓性を有しており、シールド板４３及び延出部４９の各表面４３ａ，４９ａにわたって配されている。すなわち、このフレキシブル基板２５は、一体的に形成された２つのスイッチシート５１，５３からなり、第１のスイッチシート５１は、シールド板４３の表面４３ａに配されるようになっている。また、第２のスイッチシート５３は、延出部４９の表面４９ａに配されると共に、第１のスイッチシート５１に対して略直交して配されるように折り曲げられている。
これら２つのスイッチシート５１，５３の表面５１ａ，５３ａには、各キー操作部１１，１３用のスイッチ５５，５７が複数形成されている。また、これらスイッチ５５，５７は、各キー操作部１１，１３の操作キー１０，１２と同じ数だけ形成され、前述した回路基板２１と電気的に接続されている。
【００２１】
第１のキー操作部１１は、前述した複数の操作キー１０と、第１のスイッチシート５１に形成された複数のスイッチ５５とから構成されている。この第１のキー操作部１１において、操作キー１０をシールド板４３の表面４３ａに向けて押下操作した際には、スイッチシート５１がシールド板４３により支持されているため、操作キー１０がスイッチ５５に当接することになる。
また、第２のキー操作部１３は、前述した複数の操作キー１２と、第２のスイッチシート５３に形成された複数のスイッチ５７とから構成されている。なお、第２のキー操作部１３の操作キー１２は、第２のスイッチシート５３を挟み込んで延出部４９の表面４９ａに固定されるようになっている。この第２のキー操作部１３において、操作キー１２を延出部４９の表面４９ａに向けて押下操作した際には、スイッチシート５３が延出部４９により支持されているため、操作キー１２がスイッチ５７に当接することになる。
【００２２】
上記のように、この携帯電話機１によれば、シールドケース２３の延出部４９によって回路基板２１の側部を覆うことができる、すなわち、回路基板２１の一の表面２１ａとシールドケース２３との間に隙間が生じても、この隙間を延出部４９により覆い隠すことができる。そして、この延出部４９は、駆動に伴って電磁波を発生するＣＰＵ３７の近傍に位置する回路基板２１の側部に配されているため、ＣＰＵ３７から輻射される電磁波が、搭載領域Ｓ３から外方に漏れだすことを防止することができる。以上のことから、上記電磁波が、第１の筐体２の内部に配されたアンテナ２７のアンテナ特性に悪影響を与えることを効果的に防止することができる。
【００２３】
なお、回路基板２１の一の表面２１ａのうち、第３の搭載領域Ｓ３に配されたＣＰＵ３７から輻射される電磁波のうち、第３の搭載領域Ｓ３に隣接する他の搭載領域Ｓ１，Ｓ２，Ｓ４に向けて輻射されるものについては、シールドケース２３のリブ４７や側壁部４５において減衰させることができる。すなわち、これら側壁部４５やリブ４７によって、上記電磁波が他の搭載領域Ｓ１，Ｓ２，Ｓ４を介して回路基板２１の周縁から外方に漏れ出すことを防止することができる。
したがって、他の搭載領域Ｓ１，Ｓ２，Ｓ４に隣接する回路基板２１の側部には延出部４９を形成する必要はなく、第３の搭載領域Ｓ３に隣接する回路基板２１の側部にのみ、電磁波の漏れ出しを防ぐ延出部４９を形成すればよい。すなわち、シールドケース２３に側壁部４５やリブ４７を形成しておくことにより、延出部４９の形成領域を最小限に抑えることができるため、シールドケース２３の形状の簡素化を図ることができる。
【００２４】
また、シールドケース２３は、回路基板２１の一の表面２１ａの全体を覆うように形成されているため、高周波ブロック３１やＣＰＵ３７等の各種電子部品を回路基板２１の一の表面２１ａのどこに搭載しても電子部品の保護を図ることができる。
さらに、シールド板４３及び延出部４９は、第１のキー操作部１１や第２のキー操作部１３を支持する支持板としての役割を果たすため、これらシールド板４３及び延出部４９によってこれら２つのキー操作部１１，１３の操作キー１０，１２の押下操作に対する強度を十分に確保することができる。そして、シールド板４３でスイッチ５５を有するフレキシブル基板２５を支持するようにすることで、携帯電話機１の薄型化を図ることもできる。
また、延出部４９は、上記電磁波の漏れ出し防止、及び、第２のキー操作部１３の支持を兼用することで、携帯電話機１の構成部品点数を抑えることができるため、製造コストの増加を抑えることもできる。
【００２５】
なお、上記の実施形態において、延出部４９は、回路基板２１の裏面２１ｂからさらに延在するとしたが、これに限ることはなく、少なくとも回路基板２１の一の表面２１ａと側壁部４５との隙間を覆うように、回路基板２１の一の表面２１ａよりも下方側まで延びていればよい。
また、延出部４９は、回路基板２１の側部に接触するように配されるとしたが、これに限ることはなく、回路基板２１の側部との間に隙間を介して配されるとしても良い。この構成の場合でも、延出部４９により回路基板２１の一の表面２１ａと側壁部４５との隙間を覆うことができると共にシールドケース２３の内側から外側に至るまでの経路を延長することができるため、ＣＰＵ３７から輻射される電磁波が漏れ出すことを防止できる。ただし、上記隙間は、微小であることがより好ましい。
【００２６】
さらに、延出部４９は、側壁部４５に一体的に形成されるとしたが、これに限ることはなく、少なくともシールド板４３や側壁部４５に固定されていればよい。すなわち、延出部４９は、例えば、側壁部４５に対して着脱可能に形成されるとしてもよい。
また、延出部４９は、ＣＰＵ３７を搭載した第３の搭載領域Ｓ３に隣接して形成されるとしたが、これに限ることはなく、少なくとも電磁波を輻射する電子部品を搭載した回路基板２１の搭載領域に隣接する位置に形成されていればよい。また、延出部４９は、回路基板２１の側部の一部にのみ配されるとしたが、これに限ることはなく、例えば、回路基板２１の側部の全体に配されるとしても構わない。
【００２７】
また、２つのスイッチシート５１，５３は、１枚のフレキシブル基板２５から構成されるとしたが、それぞれ別個のフレキシブル基板から構成されるとしても構わない。また、２つのスイッチシート５１，５３が個別の基板から構成される場合には、可撓性を有するフレキシブル基板によって構成される必要はなく、例えば、可撓性を有さない回路基板により構成されるとしてもよい。
【００２８】
さらに、上記実施形態においては、ヒンジ部５によって互いに連結された２つの筐体２，３を備える携帯電話機１について述べたが、これに限ることはなく、例えば、１つの筐体から構成される携帯電話機であっても構わない。
また、携帯電話機に限ることはなく、少なくとも無線通信機能を備える携帯無線機に適用することができ、例えば、通信機能を備えたＰＤＡやノート型パーソナルコンピュータであってもよい。
【００２９】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３０】
【図１】この発明の一実施形態に係る携帯電話機の第１、第２の筐体を相互に開いた状態を示す概略斜視図である。
【図２】図１の携帯電話機において、フロントケース、リアケース、フレキシブル基板、シールドケース及び回路基板を示す分解斜視図である。
【図３】図１の携帯電話機の電気的な構成を示すブロック図である。
【図４】図１の携帯電話機において、第１の筐体内部における回路基板、アンテナ及びシールドケースの配置を示す概略平面図である。
【図５】図１の携帯電話機において、回路基板、シールドケース及びキー操作部の構成を示す拡大断面図である。
【図６】従来の携帯無線機の一例を示す分解斜視図である。
【図７】図６の携帯無線機において、筐体内部に配置される回路基板及びシールドケースを示す分解斜視図である。
【符号の説明】
【００３１】
１  携帯電話機（携帯無線機）
２  第１の筐体
２ｃ  対向面（表面）
２ｅ  側面
１０  操作キー（表面操作キー）
１１  第１のキー操作部（表面キー操作部）
１２  操作キー（側面操作キー）
１３  第２のキー操作部（側面キー操作部）
２１  回路基板
２１ａ  一の表面
２３  シールドケース
２７  アンテナ
３１  高周波ブロック（電子部品）
３２  他の電子部品
３３  電源ＩＣ（電子部品）
３５  メモリ（電子部品）
３７  ＣＰＵ（電子部品）
４１  基準電位層
４３  シールド板（天板部）
４３ａ  表面
４５  側壁部（区画壁部）
４７  リブ（区画壁部）
４９  延出部
４９ａ  表面
Ｓ１〜Ｓ４  搭載領域
【図１】
0004713333.tif 000002
【図２】
0004713333.tif 000003
【図３】
0004713333.tif 000004
【図４】
0004713333.tif 000005
【図５】
0004713333.tif 000006
【図６】
0004713333.tif 000007
【図７】
0004713333.tif 000008